(57)【要約】【課題】冷却貯蔵庫の周囲温度や貯蔵物の量等を反映しつつ、基準時間を設定することが可能な冷却貯蔵庫を提供する。【解決手段】貯蔵室１１を有する貯蔵庫本体１２と、冷却器２８と、圧縮機２５と、貯蔵室１１内の温度を検出する庫内温度センサ４４と、制御部４０と、を備え、制御部４０は、庫内温度センサ４４で検出された温度が予め設定された上限温度Ｔ２以上である場合に圧縮機２５を動作させ、その後、庫内温度センサ４４で検出された温度が予め設定された下限温度Ｔ３となった場合に圧縮機２５を停止させる冷却運転を行うものとされ、さらに制御部４０は、安定冷却運転の運転時間Ｃ５に基づいて、基準時間Ｃ１１を設定する基準時間設定処理と、基準時間設定処理の後に実行された安定冷却運転の運転時間が基準時間Ｃ１１以上となった場合に除霜運転を行う除霜処理と、を実行することに特徴を有する。【選択図】図６
2020012600.tif 000002
【特許請求の範囲】
【請求項１】
貯蔵室を有する貯蔵庫本体と、
冷却器と、
前記冷却器と共に冷却サイクルを構成する圧縮機と、
前記冷却器の除霜を行う除霜装置と、
前記貯蔵室内の温度を検出する温度センサと、
制御部と、を備え、
前記制御部は、前記温度センサで検出された前記温度が予め設定された上限温度以上である場合に前記圧縮機を動作させ、その後、前記温度センサで検出された前記温度が予め設定された下限温度となった場合に前記圧縮機を停止させる冷却運転を行うものとされ、
さらに前記制御部は、
前記貯蔵室内の温度に影響を与える外乱がない状態での前記冷却運転である安定冷却運転の運転時間に基づいて、前記運転時間よりも長い基準時間を設定する基準時間設定処理と、
前記基準時間設定処理の後に実行された前記安定冷却運転の運転時間が、前記基準時間以上となった場合に前記除霜装置を動作させる除霜処理と、を実行する冷却貯蔵庫。
【請求項２】
前記制御部は、前記冷却運転中に前記温度センサによって検出された前記貯蔵室内の温度が、上昇しなかった場合及び前記上限温度を超えなかった場合に前記外乱がないと判定する請求項１に記載の冷却貯蔵庫。
【請求項３】
前記制御部は、前記基準時間設定処理において、当該冷却貯蔵庫の運転開始後又は前回の前記除霜処理完了後、前記安定冷却運転が初めて連続して発生した際の２回目の前記安定冷却運転の運転時間に基づいて、前記基準時間を設定する請求項１又は請求項２に記載の冷却貯蔵庫。
【発明の詳細な説明】
【技術分野】
【０００１】
本発明は、冷却貯蔵庫に関する。
【背景技術】
【０００２】
従来、冷却貯蔵庫として冷却器の除霜を実行するものが知られている（下記特許文献１）。特許文献１には、冷却器への着霜が進むことで冷却能力が低下し、冷却運転の運転時間が長くなることから、運転時間が基準時間より長くなった場合に、冷却器に所定量の着霜が生じたと判断し、除霜を実行することが記載されている。
【先行技術文献】
【特許文献】
【０００３】
【特許文献１】特開平１１−１４８７６９号公報
【発明の概要】
【発明が解決しようとする課題】
【０００４】
上記構成では、冷却運転の運転時間が基準時間より長くなることを除霜実行の条件としており、基準時間は予め設定された固定値となっている。冷却貯蔵庫の冷却能力（ひいては冷却運転の運転時間）は、季節等による冷却貯蔵庫の周囲温度の変化や貯蔵室内の貯蔵物の量の変化に伴って変化する。このため、基準時間が固定値であると、冷却貯蔵庫の周囲温度や貯蔵物の量の変化に対応できず、最適なタイミングで除霜を実行することができないという問題点がある。
【０００５】
本発明は上記のような事情に基づいて完成されたものであって、冷却貯蔵庫の周囲温度や貯蔵物の量等を反映しつつ、基準時間を設定することが可能な冷却貯蔵庫を提供することを目的とする。
【課題を解決するための手段】
【０００６】
上記課題を解決するために、本発明の冷却貯蔵庫は、貯蔵室を有する貯蔵庫本体と、冷却器と、前記冷却器と共に冷却サイクルを構成する圧縮機と、前記冷却器の除霜を行う除霜装置と、前記貯蔵室内の温度を検出する温度センサと、制御部と、を備え、前記制御部は、前記温度センサで検出された前記温度が予め設定された上限温度以上である場合に前記圧縮機を動作させ、その後、前記温度センサで検出された前記温度が予め設定された下限温度となった場合に前記圧縮機を停止させる冷却運転を行うものとされ、さらに前記制御部は、前記貯蔵室内の温度に影響を与える外乱がない状態での前記冷却運転である安定冷却運転の運転時間に基づいて、前記運転時間よりも長い基準時間を設定する基準時間設定処理と、前記基準時間設定処理の後に実行された前記安定冷却運転の運転時間が、前記基準時間以上となった場合に前記除霜装置を動作させる除霜処理と、を実行することに特徴を有する。
【０００７】
上記構成では、貯蔵室内の温度が下限温度になると冷却運転が停止し、その後、貯蔵室内の温度が上昇し、上限温度以上となった場合に冷却運転が実行される。つまり、冷却運転は繰り返し実行される。冷却運転に伴って冷却器の着霜量が増加すると冷却効率が低下し、冷却運転の運転時間（下限温度に達するまでの時間）が増加する。そこで、安定冷却運転の運転時間が、設定された基準時間以上となった場合に除霜装置を動作させることで、着霜量が多くなった場合に除霜を実行することができる。そして、基準時間は予め設定された固定値ではなく、安定冷却運転の運転時間（言い換えると実際の運転状況）に基づいて設定される。このため、冷却運転時の冷却貯蔵庫の周囲温度や貯蔵室内の貯蔵物の量を反映しつつ、基準時間を設定することができる。また、冷却運転中に外乱があると貯蔵室内の温度に影響が生じ、運転時間が安定しない。上記構成では、外乱がない安定冷却運転時の運転時間に基づいて基準時間設定処理及び除霜処理を行うため、より適切なタイミングで除霜装置を動作させることができる。
【０００８】
また、前記制御部は、前記冷却運転中に前記温度センサによって検出された前記貯蔵室内の温度が、上昇しなかった場合及び前記上限温度を超えなかった場合に前記外乱がないと判定するものとすることができる。温度センサの温度を参照して外乱がないと判定するため、外乱の有無を判定するための専用の構成が必要なく、より簡易な構成とすることができる。
【０００９】
また、前記制御部は、前記基準時間設定処理において、当該冷却貯蔵庫の運転開始後又は前回の前記除霜処理完了後、前記安定冷却運転が初めて連続して発生した際の２回目の前記安定冷却運転の運転時間に基づいて、前記基準時間を設定するものとすることができる。連続した安定冷却運転のうち、２回目の安定冷却運転の運転時間に基づいて基準時間を設定することで、貯蔵室内の環境がある程度安定した状態の運転時間に基づいて基準時間を設定することができ、基準時間をより適切な値で設定することができる。
【発明の効果】
【００１０】
本発明によれば、冷却貯蔵庫の周囲温度や貯蔵物の量等を反映しつつ、基準時間を設定することが可能な冷却貯蔵庫を提供する。
【図面の簡単な説明】
【００１１】
【図１】本発明の一実施形態に係る冷蔵庫を示す断面図
【図２】冷蔵庫が備える冷却サイクルを示す図
【図３】冷蔵庫の電気的構成を示すブロック図
【図４】庫内温度センサによる検出温度の時間推移を示すグラフ
【図５】冷却運転終了時の制御部の動作を示すフローチャート
【図６】除霜運転に係る制御部の動作を示すフローチャート
【図７】制御部による圧縮機の制御を示すタイミングチャート
【図８】制御部による圧縮機の制御の変形例を示すタイミングチャート
【発明を実施するための形態】
【００１２】
本発明の一実施形態を図１から図７によって説明する。本実施形態では、冷却貯蔵庫として、プレハブ式の冷蔵庫１０を例示する。冷蔵庫１０は、図１に示すように、貯蔵室１１を有する貯蔵庫本体１２と、冷却装置１３と、を備える。貯蔵庫本体１２（断熱箱体）は、複数の断熱パネルを箱状に組み立てることで構成されている。貯蔵庫本体１２には出入口となる開口部１６が形成され、開口部１６は、断熱扉１７によって開閉可能となっている。
【００１３】
冷却装置１３は、室外機２１と、室内機２２と、コントロールボックス２３と、室外機２１と室内機２２とを循環接続する冷媒配管２４（図２参照）と、を備える。室外機２１は、図２に示すように、圧縮機２５と、凝縮器２６と、凝縮器２６を冷却するための凝縮器ファン２７と、を備える。
【００１４】
室内機２２は、冷却器２８と、冷却ファン２９と、キャピラリチューブ３０（又は膨張弁）と、庫内温度センサ４４と、冷却器温度センサ４５と、除霜ヒータ４６と、を備える。圧縮機２５、凝縮器２６、キャピラリチューブ３０及び冷却器２８は、冷媒配管２４で循環接続されており、冷却サイクル３１を構成するものとされる。冷却ファン２９は、冷却器２８によって生成された冷気を貯蔵室１１に供給することが可能となっている。
【００１５】
次に、冷蔵庫１０の電気的構成について説明する。図３に示すように、冷蔵庫１０は、制御部４０を備える。制御部４０には、記憶部４１、表示部４２、タイマ４３、庫内温度センサ４４、冷却器温度センサ４５、圧縮機２５、凝縮器ファン２７、冷却ファン２９、除霜ヒータ４６がそれぞれ電気的に接続されている。制御部４０は、例えば、ＣＰＵを主体に構成されており、記憶部４１は、例えば、ＲＯＭやＲＡＭなどによって構成されている。記憶部４１には、冷蔵庫１０の運転に係る各種パラメータ（後述する設定温度、上限温度、下限温度等）が記憶されている。なお、制御部４０、記憶部４１及びタイマ４３は、例えばコントロールボックス２３内に収容されているが、これに限定されない。また、庫内温度センサ４４、冷却器温度センサ４５、除霜ヒータ４６は、室内機２２の筐体内部に配されている。
【００１６】
表示部４２は、例えば、液晶ディスプレイや表示ランプなどを備え、貯蔵庫本体１２の外面に設けられている。表示部４２には、冷蔵庫１０に関する各種の情報（庫内温度やエラーメッセージ等）が表示される。庫内温度センサ４４（温度センサ）は、庫内温度（貯蔵室１１内の温度）を検出するためのものであり、例えば、室内機２２に形成された吸込口（図示せず）近傍に配されている。
【００１７】
冷却運転時には、圧縮機２５、凝縮器ファン２７及び冷却ファン２９が駆動される。冷却ファン２９の駆動により、貯蔵室１１内の空気が室内機２２の筐体に形成された吸込口から室内機２２内に吸引され、その後、冷却器２８を通過する間に熱交換されて生成された冷気が、室内機２２の筐体に形成された吹出口から貯蔵室１１内に吹き出される。これにより、貯蔵室１１内に冷気が循環供給されることで貯蔵室１１が冷却される構成となっている。
【００１８】
冷却運転では、制御部４０は、庫内温度センサ４４によって検出された温度が予め設定された上限温度以上である場合に、圧縮機２５、凝縮器ファン２７及び冷却ファン２９を駆動させ、庫内温度センサ４４によって検出された温度が予め設定された下限温度となった場合に圧縮機２５、凝縮器ファン２７を停止させる。除霜ヒータ４６は、例えばシーズヒータとされ、冷却器２８の表面に設けられている。また、冷却器温度センサ４５は、冷却器２８に取り付けられており、冷却器２８の温度を検出することが可能となっている。
【００１９】
また、制御部４０は、冷却器２８の除霜を行う除霜運転を実行する。除霜運転としては、オフサイクルデフロストやヒータデフロストを例示することができる。オフサイクルデフロストは、圧縮機２５及び凝縮器ファン２７を停止させると共に冷却ファン２９を動作させる除霜方式であり、ヒータデフロストは、圧縮機２５、凝縮器ファン２７及び冷却ファン２９を停止させると共に除霜ヒータ４６によって冷却器２８を加熱する除霜方式である。
【００２０】
図４に冷蔵庫１０の運転時における庫内温度センサ４４による検出温度の時間推移の一例を示す。上述したように、制御部４０は、庫内温度センサ４４によって検出された温度が予め設定された上限温度Ｔ２以上である場合には、下限温度Ｔ３となるまで冷却運転を行う。なお、上限温度Ｔ２は設定温度Ｔ１よりも所定の値だけ高い温度であり、下限温度Ｔ３は設定温度Ｔ１よりも所定の値だけ低い温度である。これにより、図４に示すように、冷却運転が間欠的に繰り返され、庫内温度が設定温度Ｔ１付近で維持される。なお、図４では、冷却運転が間欠的に１０回実行される場合を例示しており、図４に示すＣ１〜Ｃ１０は各冷却運転の各運転時間である。
【００２１】
図４に示すように、冷蔵庫１０の運転開始直後において庫内温度は、上限温度Ｔ２を超えている場合がある。また、貯蔵室１１内の温度に影響を与える外乱（断熱扉１７の開閉や貯蔵室１１内への貯蔵物の搬入等）が生じた場合には、庫内温度は一時的に上昇し、上限温度Ｔ２を超える場合がある。以下の説明では、下記条件（１）及び条件（２）の双方を満たす冷却運転のことを安定冷却運転と呼ぶ。
条件（１）冷却運転中、庫内温度センサ４４によって検出された温度が上限温度Ｔ２を超えない（常に上限温度Ｔ２以下）。
条件（２）冷却運転中、庫内温度センサ４４によって検出された温度が上昇しない。
つまり、安定冷却運転とは、貯蔵室１１内の温度に影響を与える外乱がない状態での冷却運転である。なお、図４においては、各安定冷却運転の各運転時間をＣ２、Ｃ４、Ｃ５、Ｃ７、Ｃ８、Ｃ１０で示す。
【００２２】
また、図４においては、安定冷却運転でない冷却運転（非安定冷却運転）の運転時間をそれぞれＣ１、Ｃ３、Ｃ６、Ｃ９で示す。つまり、図４では、安定冷却運転が６回実行され、非安定冷却運転が４回実行された場合を例示している。
【００２３】
より詳しくは非安定冷却運転とは、以下の条件（３）又は条件（４）のいずれかを満たす冷却運転のことである。
条件（３）冷却運転中、庫内温度センサ４４によって検出された温度が上限温度Ｔ２を超えた。
条件（４）冷却運転中、庫内温度センサ４４によって検出された温度が上昇した。
【００２４】
制御部４０は、庫内温度センサ４４の検出温度を参照することで、冷却運転が安定冷却運転であるか非安定冷却運転であるかを判定する。より詳しくは、図５に示すように、制御部４０は、冷却運転終了時、その冷却運転中に庫内温度センサ４４によって検出された検出温度ＴＤが上限温度Ｔ２を超えたか否かを判定する（ステップＳ６）。なお、ここで言う冷却運転終了時とは、検出温度ＴＤが下限温度Ｔ３になった時点のことである。また、制御部４０は、冷却運転中に庫内温度センサ４４によって検出された検出温度ＴＤを所定時間毎に記憶温度ＴＭとして記憶部４１に記憶する。そして、制御部４０は、冷却運転終了時に、その冷却運転中、記憶温度ＴＭを更新する際に前回の記憶温度ＴＭが今回更新された記憶温度ＴＭよりも小さい値になったか否かを判定する（ステップＳ７）。前回の記憶温度ＴＭが今回更新された記憶温度ＴＭよりも小さい値になるということは、冷却運転中に検出温度ＴＤが上昇したことを意味する。つまり、ステップＳ７で「ＹＥＳ」とは、冷却運転中に検出温度ＴＤが上昇したことを意味する。
【００２５】
そして、ステップＳ６で「ＮＯ」且つステップＳ７で「ＮＯ」である場合、その冷却運転は安定冷却運転であるため、制御部４０は、例えば記憶部４１に記憶されている安定冷却運転カウンタを加算（＋１）する（ステップＳ８）。言い換えると、制御部４０は、冷却運転中に庫内温度センサ４４によって検出された貯蔵室１１内の温度が、上昇しなかった場合及び上限温度Ｔ２を超えなかった場合に外乱がないと判定し、その冷却運転が安定冷却運転であると判定する。また、ステップＳ６で「ＹＥＳ」又はステップＳ７で「ＹＥＳ」である場合、その冷却運転は非安定冷却運転であるため、制御部４０は、安定冷却運転カウンタをリセット（安定冷却運転カウンタ＝０）する（ステップＳ９）。この安定冷却運転カウンタは、除霜運転を行う際の判定基準として用いる（詳しくは後述）。
【００２６】
次に除霜運転に係る制御部４０の動作について説明する。図６は除霜運転に係る制御部４０の動作を示すフローチャートである。図６に示すように、冷蔵庫１０の運転開始後（又は前回の除霜処理完了後）、上述した安定冷却運転カウンタが２になった場合に（ステップＳ１１で「ＹＥＳ」）、制御部４０は、基準時間設定処理を実行する（ステップＳ１２）。なお、ここで言う、冷蔵庫１０の運転開始とは、例えば、冷蔵庫１０の電源が投入されたことを意味する。また、「安定冷却運転カウンタが２になった」とは、冷蔵庫１０の運転開始後（又は前回の除霜処理完了後）初めて安定冷却運転が連続して２回発生したことを意味する。
【００２７】
基準時間設定処理では、制御部４０は、安定冷却運転の運転時間に基づいて、運転時間よりも長い基準時間Ｃ１１を設定する。より詳しくは、制御部４０は、冷蔵庫１０の運転開始後（又は前回の除霜処理完了後）、安定冷却運転が初めて連続して発生した際の２回目の安定冷却運転の運転時間（図４では運転時間Ｃ５）に基づいて、基準時間Ｃ１１を設定する。つまり、運転時間Ｃ５（基準冷却時間）とは、冷却器２８の着霜が殆どない状態且つ外乱がない状態の冷却運転の運転時間である。
【００２８】
基準時間Ｃ１１は、例えば、運転時間Ｃ５の所定倍（例えば１．５倍）で設定される。また、基準時間Ｃ１１は、運転時間Ｃ５に所定時間（例えば２分）を加算した値であってもよい。なお、運転時間Ｃ５に対する基準時間Ｃ１１の増加具合（上記所定倍の値又は上記所定時間の値）は、冷蔵庫１０について予め実験を行い、その実験の結果に基づいて適宜設定される。
【００２９】
基準時間設定処理の後、冷却運転が繰り返し実行され、冷却器２８の着霜量が増えるにつれて冷却効率が低下すると、安定冷却運転の運転時間は増加していく。基準時間設定処理の後、タイマ４３によって計測された安定冷却運転の運転時間（図４のＣ１０参照）が、基準時間Ｃ１１以上となった場合（図６のステップＳ１３で「ＹＥＳ」）には、制御部４０は、除霜処理を実行する（ステップＳ１４）。除霜処理では、例えば、圧縮機２５及び凝縮器ファン２７を停止させると共に冷却ファン２９（除霜装置）を動作させることで、オフサイクルデフロストを行う。そして、制御部４０は、庫内温度センサ４４によって検出された庫内温度が所定の温度まで上昇するとオフサイクルデフロストを終了する。なお、除霜処理において、オフサイクルデフロストの代わりにヒータデフロストを実行してもよい。
【００３０】
また、制御部４０は、除霜処理を実行した後、基準時間Ｃ１１をリセットする。つまり、基準時間Ｃ１１は、除霜処理が完了する度に再設定される。これにより、基準時間Ｃ１１は、冷蔵庫１０の周囲温度や貯蔵室１１内の貯蔵物の量の変化に対応した最新の安定冷却運転の運転時間に基づいて設定される。なお、制御部４０は、冷蔵庫１０の電源がオフされる際にも、基準時間Ｃ１１をリセットする。なお、制御部４０は、除霜処理を実行した後、及び冷蔵庫１０の電源がオフされる際に安定冷却運転カウンタをリセットする。
【００３１】
また、制御部４０は、前回の除霜運転から所定時間が経過した後、安定冷却運転の運転時間に関わらず、除霜運転を行う。このため、安定冷却運転が長時間発生しないために除霜運転が実行されない事態を抑制することができる。
【００３２】
ところで、一般的に圧縮機の起動開始直後では、冷却サイクルにおける冷媒の循環が不完全であり、冷媒とともに圧縮機外に排出される冷凍機油の量が圧縮機内に回収される量に比べて多くなり易い。このため、短時間で圧縮機の起動及び停止が繰り返されると、圧縮機内の冷凍機油が減少した状態で圧縮機の運転が行われることになり、圧縮機の寿命が低下する事態が懸念される。このような事態を抑制するためには、圧縮機の連続運転時間をある程度確保する必要がある。このため、圧縮機には最低運転時間が設定され、最低運転時間を超えるように運転することが求められる。本実施形態では、制御部４０は、圧縮機２５の連続運転時間（つまり、冷却運転の運転時間）が最低運転時間（以下符号Ｃ５１を付す）を超えるように圧縮機２５の制御を行う。次に、これを実現するための圧縮機２５の制御について説明する。
【００３３】
本実施形態の圧縮機２５は、例えばインバータ式の圧縮機であり、回転速度を段階的に変更することが可能な構成となっている。図７に示すように、制御部４０は、冷却運転の運転時間（例えば図７のＣ２１）が最低運転時間Ｃ５１より短い場合には、その次の冷却運転では、圧縮機２５の回転速度を１段階下げて冷却運転を行う。これにより、冷却装置１３の冷却能力が低下するため、冷却運転の運転時間（図７のＣ２２）が増える（図７においてＣ２２＞Ｃ２１）。また、図示しないが、運転時間Ｃ２２が最低運転時間Ｃ５１より短い場合には、その次の冷却運転では、圧縮機２５の回転速度をさらに１段階下げて冷却運転を行う。つまり、制御部４０は、冷却運転の運転時間が最低運転時間Ｃ５１より長くなるまで、圧縮機２５の回転速度を１段ずつ下げていくことを繰り返す。これにより、圧縮機２５の運転時間が最低運転時間Ｃ５１より短くなる事態を抑制することができる。
【００３４】
また、図８に制御部４０による圧縮機２５の制御の変形例を示す。図８に示すように、圧縮機２５の回転速度が一定の場合には、庫内温度センサ４４の検出温度は線形的に下がっていく。そこで、図８に示す変形例では、制御部４０は、冷却運転中の庫内温度センサ４４の検出温度の下がり具合から、当該冷却運転の運転時間を算出し、算出された運転時間Ｃ３１が最低運転時間Ｃ５１より短くなる場合には、その時点で（冷却運転の途中で）圧縮機２５の回転速度を１段階下げる。これにより、圧縮機２５の実際の運転時間は、Ｃ３１よりも長いＣ３３となる。この結果、圧縮機２５の運転時間を確保することができ、最低運転時間Ｃ５１より短くなる事態を抑制することができる。
【００３５】
次に本実施形態の効果について説明する。本実施形態では、貯蔵室１１内の温度が下限温度Ｔ３になると冷却運転が停止し、その後、貯蔵室１１内の温度が上昇し、上限温度Ｔ２以上となった場合に冷却運転が実行される。つまり、冷却運転は繰り返し実行される。冷却運転に伴って冷却器２８の着霜量が増加すると冷却効率が低下し、冷却運転の運転時間（上限温度から下限温度に達するまでの時間）が増加する。そこで、安定冷却運転の運転時間が、設定された基準時間Ｃ１１以上となった場合に除霜運転を行うことで、着霜量が多くなった場合に除霜を実行することができる。
【００３６】
そして、基準時間Ｃ１１は予め設定された固定値ではなく、安定冷却運転の運転時間Ｃ５に基づいて設定される。この運転時間Ｃ５は、実際の運転状況（冷蔵庫１０の周囲温度や貯蔵室１１内の貯蔵物の量）が反映されたものである。このため、冷却運転時の冷蔵庫１０の周囲温度や貯蔵室１１内の貯蔵物の量を反映しつつ、基準時間Ｃ１１を設定することができる。また、冷却運転中に外乱があると貯蔵室１１内の温度に影響が生じ、運転時間が安定しない。上記構成では、外乱がない安定冷却運転時の運転時間に基づいて基準時間設定処理及び除霜処理を行うため、より適切なタイミングで除霜運転を行うことができる。
【００３７】
また、制御部４０は、冷却運転中に庫内温度センサ４４によって検出された貯蔵室１１内の温度が、上昇しなかった場合及び上限温度Ｔ２を超えなかった場合に外乱がないと判定する。庫内温度センサ４４の温度を参照して外乱がないと判定するため、外乱の有無を判定するための専用の構成が必要なく、より簡易な構成とすることができる。
【００３８】
また、制御部４０は、基準時間設定処理において、冷蔵庫１０の運転開始後又は前回の除霜処理完了後、安定冷却運転が初めて連続して発生した際の２回目の安定冷却運転の運転時間Ｃ５に基づいて、基準時間Ｃ１１を設定する。連続した安定冷却運転のうち、２回目の安定冷却運転の運転時間Ｃ５に基づいて基準時間Ｃ１１を設定することで、貯蔵室１１内の環境がある程度安定した状態の運転時間に基づいて基準時間Ｃ１１を設定することができ、基準時間をより適切な値で設定することができる。
【００３９】
＜他の実施形態＞
本発明は上記記述及び図面によって説明した実施形態に限定されるものではなく、例えば次のような実施形態も本発明の技術的範囲に含まれる。
（１）上記実施形態では、プレハブ式の冷蔵庫を例示したが、プレハブ式に限定されない。
（２）上記実施形態では、制御部４０が庫内温度センサ４４の温度に基づいて外乱がないと判定したが、これに限定されない。例えば、冷蔵庫１０が断熱扉１７の開閉を検知するためのセンサを備え、センサによって断熱扉１７の開閉が検知されない場合に、制御部４０は外乱がないと判定してもよい。つまり、制御部４０は、冷却運転中に断熱扉１７の開閉がない場合に、その冷却運転を安定冷却運転と判定してもよい。なお、貯蔵室１１内の温度に影響を与える外乱とは、断熱扉１７の開閉に限定されるものではない。
（３）除霜処理の手段は上記実施形態で例示したものに限定されず、例えば、冷却器２８を加熱するためのホットガスを冷却器２８に供給することで冷却器２８の除霜を行ってもよい。
（４）上記実施形態では、安定冷却運転が初めて連続して発生した際の２回目の安定冷却運転の運転時間Ｃ５に基づいて基準時間Ｃ１１を設定したが、これに限定されない。何回目の安定冷却運転の運転時間に基づいて基準時間を設定するかは、適宜変更可能である。
【符号の説明】
【００４０】
１０…冷蔵庫（冷却貯蔵庫）、１１…貯蔵室、１２…貯蔵庫本体、２５…圧縮機、２８…冷却器、２９…冷却ファン（除霜装置）、３１…冷却サイクル、４０…制御部、４４…庫内温度センサ（温度センサ）、Ｃ５…安定冷却運転の運転時間（安定冷却運転が初めて連続して発生した際の２回目の安定冷却運転の運転時間）、Ｃ１１…基準時間、Ｔ２…上限温度、Ｔ３…下限温度
【図１】
2020012600.tif 000003
【図２】
2020012600.tif 000004
【図３】
2020012600.tif 000005
【図４】
2020012600.tif 000006
【図５】
2020012600.tif 000007
【図６】
2020012600.tif 000008
【図７】
2020012600.tif 000009
【図８】
2020012600.tif 000010